(57)【要約】【課題】多くのアイテムを有効に利用でき、戦略幅が広がった電子ゲーム装置及び電子ゲームプログラムを提供する。【解決手段】選択されたアイテムが割り当てられるスロットを少なくとも１つ有するレイヤーにアイテムを割り当て、レイヤー毎に定められた補正手段によって、各レイヤーに割り当てられたアイテムのアイテムパラメータを補正し、アイテムパラメータ補正手段によって補正されたアイテムパラメータによって、他のレイヤーに割り当てられたアイテムのアイテムパラメータを補正し、補正されたアイテムパラメータをゲームの進行に用いる。【選択図】図４
2015226750.tif 000002
【特許請求の範囲】
【請求項１】
複数のアイテムに割り当てられたアイテムパラメータに応じて進行する電子ゲーム装置であって、
選択されたアイテムが割り当てられるスロットを少なくとも１つ有するレイヤーにアイテムを割り当てるレイヤー割当手段と、
レイヤー毎に定められた補正手段によって、各レイヤーに割り当てられたアイテムのアイテムパラメータを補正するアイテムパラメータ補正手段と、
前記アイテムパラメータ補正手段によって補正されたアイテムパラメータによって、他のレイヤーに割り当てられたアイテムのアイテムパラメータを補正するレイヤー間パラメータ補正手段と、
を備え、
前記レイヤー間パラメータ補正手段によって補正されたアイテムパラメータをゲームの進行に用いることを特徴とする電子ゲーム装置。
【請求項２】
請求項１に記載の電子ゲーム装置であって、
前記複数のレイヤーは、ツリー構造に関連付けられ、
前記レイヤー間パラメータ補正手段では、前記ツリー構造において下位のレイヤーに割り当てられたアイテムに対して前記アイテムパラメータ補正手段で補正されたアイテムパラメータによって、当該レイヤーより上位のレイヤーに割り当てられたアイテムのアイテムパラメータを補正することを特徴とする電子ゲーム装置。
【請求項３】
請求項１又は２に記載の電子ゲーム装置であって、
ゲームの進行に応じて、前記アイテムパラメータ補正手段におけるアイテムパラメータの補正を変更することを特徴とする電子ゲーム装置。
【請求項４】
請求項１〜３のいずれか１項に記載の電子ゲーム装置であって、
ゲームの進行に応じて、前記レイヤー間パラメータ補正手段におけるアイテムパラメータの補正を変更することを特徴とする電子ゲーム装置。
【請求項５】
請求項１〜４のいずれか１項に記載の電子ゲーム装置であって、
前記レイヤーの総数を変更するレイヤー数変更手段を備えることを特徴とする電子ゲーム装置。
【請求項６】
請求項１〜５のいずれか１項に記載の電子ゲーム装置であって、
前記レイヤー間パラメータ補正手段における前記レイヤー間の関係を変更するレイヤー関係変更手段を備えることを特徴とする電子ゲーム装置。
【請求項７】
請求項１〜６のいずれか１項に記載の電子ゲーム装置であって、
前記複数のレイヤー間においてアイテムを入れ替えるアイテム入替手段を備えることを特徴とする電子ゲーム装置。
【請求項８】
請求項１〜７のいずれか１項に記載の電子ゲーム装置であって、
前記アイテムパラメータは、アイテムの攻撃力、防御力、アイテムに特有の特性の少なくとも１つであることを特徴とする電子ゲーム装置。
【請求項９】
複数のアイテムに割り当てられたアイテムパラメータに応じて進行する電子ゲームプログラムであって、
コンピュータを、
選択されたアイテムが割り当てられるスロットを少なくとも１つ有するレイヤーにアイテムを割り当てるレイヤー割当手段と、
レイヤー毎に定められた補正手段によって、各レイヤーに割り当てられたアイテムのアイテムパラメータを補正するアイテムパラメータ補正手段と、
前記アイテムパラメータ補正手段によって補正されたアイテムパラメータによって、他のレイヤーに割り当てられたアイテムのアイテムパラメータを補正するレイヤー間パラメータ補正手段と、
として機能させ、
前記レイヤー間パラメータ補正手段によって補正されたアイテムパラメータを用いてゲームを進行させることを特徴とする電子ゲームプログラム。
【発明の詳細な説明】
【技術分野】
【０００１】
本発明は、電子ゲーム装置及び電子ゲームプログラムに関する。
【背景技術】
【０００２】
電子ゲームでは、それぞれ特性を持たせたアイテムを利用してゲームを進行させる処理が行われる。例えば、カード型対戦ゲームでは、プレイヤに与えられるカードの各々に攻撃パラメータ、防御パラメータ、特殊効果パラメータ等を割り当て、味方と敵のカードの特性を用いて勝敗を決定する処理が行われる。また、ロールプレイングゲームでは、味方キャラクタや敵キャラクタに装備される武器、防具、道具、魔法等のアイテムにパラメータを定め、それらのアイテムを利用して敵との対戦やゲームを進行させる処理が行われる。
【０００３】
ここで、アイテムは、ゲーム上において一度に使用できる数が限定される。例えば、カードゲームでは限られた数のカードを用いて対戦が行われ、ロールプレイングゲームでは各キャラクタに装備できる武器、防具、道具、魔法の数が限られる。したがって、プレイヤが多数のアイテムを保有する場合、保有するアイテムの中から限定された数のアイテムを選択する必要がある。
【発明の概要】
【発明が解決しようとする課題】
【０００４】
ところで、ゲーム上において一度に利用できるアイテムが限定されている場合、集めたアイテムのうち一部のみしかゲームに利用できないのでゲームの戦略の幅が狭められる。また、プレイヤは、せっかく集めたアイテムの一部しか利用できないという不満を持つことがある。
【０００５】
さらに、ゲームの進行等に伴って、既に保有しているアイテムよりも強いアイテムを入手した場合、それ以前に入手したアイテムを使用することがなくなり、使用されるアイテムが固定化され、プレイヤもさらにアイテムを入手しようとしなくなり、ゲームの進行が硬直化してしまうおそれがある。
【課題を解決するための手段】
【０００６】
本発明の１つの態様は、複数のアイテムに割り当てられたアイテムパラメータに応じて進行する電子ゲーム装置であって、選択されたアイテムが割り当てられるスロットを少なくとも１つ有するレイヤーにアイテムを割り当てるレイヤー割当手段と、レイヤー毎に定められた補正手段によって、各レイヤーに割り当てられたアイテムのアイテムパラメータを補正するアイテムパラメータ補正手段と、前記アイテムパラメータ補正手段によって補正されたアイテムパラメータによって、他のレイヤーに割り当てられたアイテムのアイテムパラメータを補正するレイヤー間パラメータ補正手段と、を備え、前記レイヤー間パラメータ補正手段によって補正されたアイテムパラメータをゲームの進行に用いることを特徴とする電子ゲーム装置である。
【０００７】
本発明の１つの態様は、複数のアイテムに割り当てられたアイテムパラメータに応じて進行する電子ゲームプログラムであって、コンピュータを、選択されたアイテムが割り当てられるスロットを少なくとも１つ有するレイヤーにアイテムを割り当てるレイヤー割当手段と、レイヤー毎に定められた補正手段によって、各レイヤーに割り当てられたアイテムのアイテムパラメータを補正するアイテムパラメータ補正手段と、前記アイテムパラメータ補正手段によって補正されたアイテムパラメータによって、他のレイヤーに割り当てられたアイテムのアイテムパラメータを補正するレイヤー間パラメータ補正手段と、として機能させ、前記レイヤー間パラメータ補正手段によって補正されたアイテムパラメータを用いてゲームを進行させることを特徴とする電子ゲームプログラムである。
【０００８】
ここで、前記複数のレイヤーは、ツリー構造に関連付けられ、前記レイヤー間パラメータ補正手段では、前記ツリー構造において下位のレイヤーに割り当てられたアイテムに対して前記アイテムパラメータ補正手段で補正されたアイテムパラメータによって、当該レイヤーより上位のレイヤーに割り当てられたアイテムのアイテムパラメータを補正することが好適である。
【０００９】
また、ゲームの進行に応じて、前記アイテムパラメータ補正手段におけるアイテムパラメータの補正を変更することが好適である。
【００１０】
また、ゲームの進行に応じて、前記レイヤー間パラメータ補正手段におけるアイテムパラメータの補正を変更することが好適である。
【００１１】
また、前記レイヤーの総数を変更するレイヤー数変更手段を備えることが好適である。
【００１２】
また、前記レイヤー間パラメータ補正手段における前記レイヤー間の関係を変更するレイヤー関係変更手段を備えることが好適である。
【００１３】
また、前記複数のレイヤー間においてアイテムを入れ替えるアイテム入替手段を備えることが好適である。
【００１４】
また、前記アイテムパラメータは、アイテムの攻撃力、防御力、アイテムに特有の特性の少なくとも１つであることが好適である。
【発明の効果】
【００１５】
本発明によれば、多くのアイテムを有効に利用でき、戦略幅が広がった電子ゲーム装置及び電子ゲームプログラムを提供ができる。
【図面の簡単な説明】
【００１６】
【図１】本発明の実施の形態における電子ゲーム装置の構成を示す図である。
【図２】本発明の実施の形態におけるカード型対戦ゲームのゲーム画面を説明する図である。
【図３】本発明の実施の形態におけるレイヤーのツリー構造を示す図である。
【図４】本発明の実施の形態における電子ゲーム処理方法を示すフローチャートである。
【図５】本発明の実施の形態におけるカードデータベースの例を示す図である。
【図６】本発明の実施の形態におけるカードの割り当て処理を説明する図である。
【図７】本発明の実施の形態におけるツリー構造を有するレイヤーに割り当てられたカードの例を示す図である。
【図８】本発明の実施の形態におけるレイヤーデータベースの例を示す図である。
【図９】本発明の実施の形態におけるレイヤーのツリー構造を変更する例を説明する図である。
【発明を実施するための形態】
【００１７】
＜基本構成＞
本発明の実施の形態における電子ゲーム装置１００は、図１に示すように、処理部１０、記憶部１２、入力部１４及び出力部１６を含んで構成される。電子ゲーム装置１００は、携帯電話、スマートフォン、タブレット端末等の通信可能な携帯端末の基本構成を備えている。
【００１８】
処理部１０は、ＣＰＵ等の演算処理を行う手段を含む。処理部１０は、記憶部１２に記憶されている電子ゲームプログラムを実行することによって、電子ゲーム装置１００において電子ゲーム等の処理を実現する情報処理装置として機能する。本実施の形態では、カード型対戦ゲームを例に説明するが、本発明の適用範囲はこれに限定されるものではない。記憶部１２は、半導体メモリやメモリカード等の記憶手段を含む。記憶部１２は、処理部１０とアクセス可能に接続され、電子ゲームプログラム、処理に必要なデータ等の情報を記憶する。入力部１４は、電子ゲーム装置１００に情報を入力する手段を含む。入力部１４は、例えば、ユーザからの入力を受けるタッチパネルやボタン等を備える。出力部１６は、ユーザから入力情報を受け付けるためのユーザインターフェース画面（ＵＩ）等や電子ゲーム装置１００での処理結果を出力する手段を含む。出力部１６は、例えば、ユーザに対して画像を呈示するディスプレイを備える。
【００１９】
また、電子ゲーム装置１００は、通信部１８を含んでもよい。通信部１８は、情報通信網を介して、他の情報通信機器と情報をやり取りするためのインターフェースを含んで構成される。通信部１８を含む場合、電子ゲーム装置１００は外部のコンピュータ（サーバ）から電子ゲームに関する情報を取得し、以下に説明する処理（手段）の一部を外部のコンピュータにおいて行うように構成してもよい。
【００２０】
カード型対戦ゲームは、プレイヤが所有する複数のカードと他のプレイヤ（コンピュータ）が所有する複数のカードとを用いて、それぞれのカードに割り当てられたパラメータに基づいて対戦を行うゲームである。
【００２１】
例えば、図２に示すように、味方（プレイヤ）及び敵（コンピュータ）が保有する味方カード３０及び敵カード３２のうち所定の枚数（例では５枚）をゲーム画面２００に配置し、ゲーム画面２００に配置されたカード同士で攻撃を行い合う。ここで、味方カード３０は味方アイテムに相当し、敵カード３２は相手アイテムに相当する。味方カード３０及び敵カード３２は、前回の攻撃から所定の待機時間が経過するとカードからの攻撃が可能となる。プレイヤは、攻撃可能な状態となった味方カード３０を選択（タップ等）し、さらに攻撃対象とする敵カード３２を選択（タップ等）することにより味方カード３０から敵カード３２へ攻撃が行われる。攻撃によって、攻撃対象とされた敵カード３２のヒットポイント（ＨＰ）が減少させられ、ヒットポイント（ＨＰ）が０になると敵カード３２を消滅させる。敵カード３２が消滅すると、残りの敵カード３２から新たな敵カード３２が選択されゲーム画面２００に配置される。敵カード３２から味方カード３０への攻撃も同様に行われる。すなわち、攻撃可能な状態となった敵カード３２が選択され、さらに攻撃対象とする味方カード３０が選択されることにより敵カード３２から味方カード３０へ攻撃が行われる。味方カード３０の選択は所定のアルゴリズムに基づいてランダムに行えばよい。攻撃によって、攻撃対象とされた味方カード３０のヒットポイント（ＨＰ）が減少させられ、ヒットポイント（ＨＰ）が０になると味方カード３０を消滅させる。味方カード３０が消滅すると、プレイヤによって残りの味方カード３０から新たな味方カード３０を選択させ、選択された味方カード３０がゲーム画面２００に配置される。この処理を繰り返すことによって、味方カード３０と敵カード３２との対戦が進行し、最終的に味方カード３０又は敵カード３２の残数が０になると勝敗が決定する。
【００２２】
従来のカード型対戦ゲームでは、味方（プレイヤ）及び敵（コンピュータ）が保有する味方カード３０及び敵カード３２のうち所定の枚数（例では５枚）のみを使用して、それらのカードに与えられたパラメータに基づいて対戦が行われていた。すなわち、所定の枚数の味方カード３０及び敵カード３２を選択し、選択されたカードに割り当てられたアイテムパラメータ（攻撃力を決定するための攻撃パラメータ、防御力を決定するための防御パラメータ、特殊攻撃を行うための特殊攻撃パラメータ等）のみが考慮されて対戦が行われていた。
【００２３】
これに対して、本実施の形態では、選択された味方カード３０及び敵カード３２が割り当てられるスロットを少なくとも１つ有するレイヤーを複数設け、レイヤー間において味方カード３０及び敵カード３２のパラメータを承継できるようにする。
【００２４】
なお、スロットとは、ゲームの進行上において選択されたカードを１枚割り当てることができる概念上のスペースを意味する。また、レイヤーは、１つ以上のスロットをグループ化したものを意味する。
【００２５】
例えば、図３に示すように、スロットＳを有するレイヤーＸ１〜Ｘ５，Ｙ１，Ｙ２・・・，Ｚ１，Ｚ２，Ｚ３・・・のように設ける。これら複数のレイヤーは、ツリー構造に関連付けられる。レイヤーＸ１は最上位レイヤーである。レイヤーＹ１，Ｙ２はレイヤーＸ１を親ノードとして枝分かれした子ノードである。レイヤーＺ１，Ｚ２はレイヤーＹ１を親ノードして枝分かれした子ノードであり、レイヤーＺ３はレイヤーＹ２を親ノードとして枝分かれした子ノードである。
【００２６】
本実施の形態では、最上位のレイヤーであるレイヤーＸ１〜Ｘ５に割り当てられたカードが直接攻撃に参加できるものとする。最上位のレイヤーはそれぞれ１つのスロットから構成される。最上位から枝分かれした下位のレイヤーに割り当てられたカードは、そのパラメータを最上位のレイヤーに割り当てられたカードに承継することによって間接的に攻撃に参加できる。本実施の形態では、下位のレイヤーＹ１，Ｙ２，Ｚ１〜Ｚ３はそれぞれ５つのスロットを有するものとする。
【００２７】
なお、図３では、図を簡潔に示すためにレイヤーＸ１とツリー構造をなすレイヤーのみ示したが、レイヤーＸ２〜Ｘ５にも同様にツリー構造を設けてもよい。また、各レイヤーに含まれるスロットの数も限定されるものではなく、少なくとも１つ以上のスロットを含めばよい。
【００２８】
以下、図４のフローチャートを参照して、このように互いに関連性を持たせたレイヤーを用いてカード型対戦ゲームを行う電子ゲーム処理方法について説明する。以下に説明する電子ゲーム処理方法は、処理部１０において電子ゲームプログラムを実行することによって実現される。
【００２９】
なお、以下では、プレイヤが操作する味方カード３０から敵カード３２への攻撃の処理について説明するが敵カード３２から味方カード３０への攻撃についても同様に行うことができる。
【００３０】
ステップＳ１０では、各レイヤーの各スロットへの味方カード３０の割り当て処理が行われる。ここでの処理によって、電子ゲーム装置１００はレイヤー割当手段として機能する。
【００３１】
処理部１０は、プレイヤが所有する味方カード３０のリストを出力部１６に表示させ、リストから味方カード３０を選択させると共に、選択された味方カード３０を割り当てる各レイヤーの各スロットの入力を受け付ける。
【００３２】
例えば、図５のカードデータベースに示すように、プレイヤが味方カード３０を２４枚所有している場合、図６に示すように、味方カード３０のリストを表示させると共に、選択された味方カード３０を割り当てる各レイヤーの各スロットの入力を受け付ける。具体的には、リストに含まれる味方カード３０の１つをドラッグして空きのスロットを示す領域まで移動させることによって各味方カード３０を各レイヤーの各スロットに割り当てるようにしてもよい。
【００３３】
例えば、図７に示すように、レイヤーＸ１にカードＣ１、レイヤーＸ２にカードＣ２、レイヤーＸ３にカードＣ３、レイヤーＸ４にカードＣ４、レイヤーＸ５にカードＣ５、レイヤーＹ１にカードＣ６，Ｃ７、レイヤーＹ２にカードＣ８、レイヤーＺ１にカードＣ９，Ｃ１０、レイヤーＺ２にカードＣ１６、レイヤーＺ３にカードＣ２４が割り当てられる。なお、残りのカードもレイヤーＸ２〜Ｘ５とツリー構造をなす他のレイヤーに割り当てることができる。
【００３４】
各カードが割り当てられたレイヤーは、図５に示すように、カードデータベースに登録される。
【００３５】
なお、カードのスロットへの割り当て処理は自動的に行ってもよい。例えば、プレイヤが所有するカードをランダムに各スロットに割り当てる。また、後述するアイテムパラメータ補正処理及びレイヤー間パラメータ補正処理において最上位のレイヤーの攻撃力、防御力等が最大値となるようにカードを各スロットに割り当てる。
【００３６】
ステップＳ１２では、各レイヤーに割り当てられたカードのパラメータの補正処理が行われる。ここでの処理によって、電子ゲーム装置１００はアイテムパラメータ補正手段として機能する。
【００３７】
各レイヤーには、図８のレイヤーデータベースに示すように、割り当てられたカードのパラメータを補正するためのアイテム補正係数が与えられている。処理部１０は、レイヤー毎に定められたアイテム補正係数を用いて、レイヤーに割り当てられたカードのパラメータを補正する。
【００３８】
例えば、図８の例では、レイヤーＸ１にはアイテム補正係数として１００％が登録されている。この場合、レイヤーＸ１に割り当てられた味方カード３０のパラメータは補正することなく、そのまま使用する。カードＣ１の場合、攻撃力９７、防御力９９として処理される。レイヤーＸ２〜Ｘ５に割り当てられたカードＣ２〜Ｃ５についても同様に処理される。
【００３９】
レイヤーＹ１にはアイテム補正係数として８０％が登録されている。この場合、レイヤーのツリー構造を最上位まで遡って、最上位のレイヤーまでのアイテム補正係数を考慮してパラメータの補正を行う。すなわち、レイヤーＹ１の親レイヤーは最上位のレイヤーＸ１であるので、レイヤーＸ１のアイテム補正係数とレイヤーＹ１のアイテム補正係数とを乗算した補正係数を求め、その補正係数にレイヤーＹ１に割り当てられた味方カード３０のパラメータを乗算した値を補正後のパラメータとして使用する。カードＣ６の場合、攻撃力７８×０．８×１．０＝６２．４、防御力８８×０．８×１．０＝７０．４として処理される。カードＣ６〜Ｃ１０についても同様である。さらに、レイヤーＹ２に割り当てられた味方カード３０のパラメータも同様に処理される。
【００４０】
レイヤーＺ１にはアイテム補正係数として６０％が登録されている。この場合、最上位のレイヤーＸ１までツリー構造を遡り、上位のレイヤーＹ１，レイヤーＸ１のアイテム補正係数とレイヤーＺ１のアイテム補正係数を乗算した補正係数を求め、その補正係数にレイヤーＺ１に割り当てられた味方カード３０のパラメータを乗算した値を補正後のパラメータとして使用する。カードＣ９の場合、攻撃力７３×０．６×０．８×１．０＝３５．０４、防御力７１×０．６×０．８×１．０＝３４．０８として処理される。Ｚ２，Ｚ３に割り当てられた味方カード３０についても同様に補正係数を算出する。
【００４１】
なお、パラメータの補正の方法はこれに限定されるものではなく、他の補正方法を適用してもよい。例えば、アイテム補正係数の代わりに、カードのパラメータを引数とした関数を設定しておき、関数にパラメータ値を代入して得られた補正値を用いるようにしてもよい。
【００４２】
ステップＳ１４では、補正されたパラメータを用いて、他のレイヤーに割り当てられたカードのパラメータを補正する処理が行われる。ここでの処理によって、電子ゲーム装置１００はレイヤー間パラメータ補正手段として機能する。
【００４３】
処理部１０は、レイヤーのツリー構造に基づいてカードのパラメータの補正処理を行う。すなわち、最上位のレイヤーに割り当てられたカードのパラメータを当該レイヤーとツリー構造で繋がっている下位のレイヤーに割り当てられたカードのパラメータを承継して補正する。このとき、ステップＳ１２において下位のレイヤーに割り当てられたカードについて補正されたパラメータを用いて、上位のレイヤーに割り当てられたカードのパラメータを補正することが好適である。
【００４４】
例えば、最上位のレイヤーＸ１に割り当てられたカードＣ１のパラメータにレイヤーＸ１と枝別れして繋がる下位のレイヤーＹ１，Ｙ２，Ｚ１，Ｚ２，Ｚ３に割り当てられたカードのそれぞれについて補正されたパラメータを加算して補正されたカードＣ１のパラメータとする。すなわち、カードＣ１の攻撃パラメータは、カードＣ１、Ｃ６、Ｃ７、Ｃ８、Ｃ９、Ｃ１０、Ｃ１６、Ｃ２４の攻撃パラメータを加算した値とする。このとき、カードＣ６、Ｃ７、Ｃ８、Ｃ９、Ｃ１０、Ｃ１６、Ｃ２４についてはステップＳ１２において補正されたパラメータを用いる。そうすると、カードＣ１の攻撃パラメータは、９７＋６２．４＋６２．４＋５１．８＋３５．０４＋３４．５６＋１８．４＋５．６＝３６７．２となる。同様に、カードＣ１の防御パラメータは、９９＋７０．４＋６６．４＋５６＋３４．０６＋３３．１２＋２０＋７．８４＝３８６．８２となる。同様に、他の最上位のレイヤーＸ２〜Ｘ５のカードについてもレイヤー間の関係に基づいてパラメータの補正処理を行う。
【００４５】
なお、レイヤー間の関係に基づくパラメータの補正処理は、上記例に限定されるものではない。例えば、各レイヤーに割り当てられたカードのパラメータを引数とした関数を設定しておき、当該関数に各レイヤーに割り当てられたカードのパラメータを代入して得られた値としてもよい。このとき、代入するパラメータとしてステップＳ１２において下位のレイヤーに割り当てられたカードについて補正されたパラメータを用いることが好適である。
【００４６】
また、ここまでの説明では、味方カード３０のパラメータの補正処理について説明したが、敵カード３２のパラメータの補正処理も同様に行えばよい。
【００４７】
ステップＳ１６では、補正されたパラメータを用いた対戦処理が行われる。ここでの処理によって、電子ゲーム装置１００は対戦処理手段として機能する。
【００４８】
処理部１０、ステップＳ１４において補正されたパラメータを用いて味方カード３０と敵カード３２との対戦処理を行う。対戦処理は、従来と同様に、最上位のレイヤーに割り当てられた味方カード３０及び敵カード３２の間で行われる。ただし、最上位のレイヤーに割り当てられたカードのパラメータは、より下位のレイヤーに割り当てられたカードのパラメータを承継して補正されているので、下位のレイヤーに割り当てられたカードも間接的に対戦に使用されることになる。
【００４９】
このように、本実施の形態における電子ゲーム処理方法では、直接対戦を行うカードのみならず、従来では単にストックされていたようなカードも用いて対戦を行うことができる。プレイヤは、レイヤー毎の補正及びレイヤー間の補正を考慮してカードの割り当てを行う必要があり、カードが増えるにつれてゲームの戦略性が高まる。したがって、プレイヤは、集めたカードを十分に利用してゲームを楽しむことができる。また、ゲームの進行等に伴って、既に保有しているアイテムよりも強いアイテムを入手したような場合であっても、使用されるアイテムが固定化されることがなく、プレイヤが新たなカードを入手しようとする動機付けを与えることができる。
【００５０】
なお、レイヤー毎のアイテムパラメータの補正方法（アイテム補正係数やアイテム補正関数）は、レイヤー毎に予め定めてレイヤーデータベースに登録しておけばよい。また、レイヤー毎のアイテムパラメータの補正方法は、電子ゲームの進行状況、電子ゲームをプレイした時間・回数・頻度、各レイヤーに割り当てられたカードの枚数、各レイヤーに割り当てられたカードの組み合わせ等に応じて変更するようにしてもよい。これにより、アイテムパラメータ補正手段におけるアイテムパラメータの補正が状況に応じて変更される。
【００５１】
例えば、電子ゲームが進行するにつれて味方カード３０がより強くなるよう又は敵カード３２がより弱くなるようにレイヤー毎のアイテムパラメータの補正方法を設定するようにしてもよい。具体例として、下位レイヤーに割り当てられた味方カード３０に対するアイテム補正係数を電子ゲームの進行と共に大きくしたり、下位レイヤーに割り当てられた敵カード３２に対するアイテム補正係数を電子ゲームの進行と共に小さくしたりすればよい。通常は電子ゲームの進行と共に敵カード３２のパラメータはより強くなるように設定されるので、それに応じて味方カード３０も強くなるよう又は敵カード３２がより弱くなるようにレイヤー毎のアイテムパラメータの補正方法を設定することで、レイヤーへのカードの割り当ての重要度が増し、戦術的な要素が高まるからである。
【００５２】
また、電子ゲームをプレイした時間が長いほど、電子ゲームをプレイした回数が多いほど、電子ゲームをプレイした頻度（単位時間当たりのプレイ時間）が高いほど、味方カード３０がより強くなるように補正されるようにレイヤー毎のアイテムパラメータの補正方法を設定するようにしてもよい。具体例として、電子ゲームをプレイした時間が長いほど、又は電子ゲームをプレイした回数が多いほど、又は電子ゲームをプレイした頻度（単位時間当たりのプレイ時間）が高いほど、下位レイヤーに割り当てられた味方カード３０に対するアイテム補正係数を大きくしたり、下位レイヤーに割り当てられた敵カード３２に対するアイテム補正係数を小さくしたりすればよい。これにより、ユーザが電子ゲームをプレイしたくなるように動機を与えることができる。
【００５３】
また、レイヤーに割り当てられたカードの枚数の変化に応じて、そのレイヤーのレイヤー毎のアイテムパラメータの補正方法を変更するようにしてもよい。また、カード各レイヤーに割り当てられたカードの組み合わせに応じて、そのレイヤーのレイヤー毎のアイテムパラメータの補正方法を変更するようにしてもよい。これにより、プレイヤが所有するカードの枚数の増減やカードの組み合わせに応じて、カード全体による攻撃力や防御力を調整することができる。
【００５４】
ただし、レイヤー毎のアイテムパラメータの補正方法の変更方法は、これらの例に限定されるものではなく、様々な方法を採用することができる。
【００５５】
また、レイヤー間の補正処理の方法は、予め定めておけばよい。また、レイヤー間の補正処理の方法は、電子ゲームの進行状況、電子ゲームをプレイした時間・回数・頻度、各レイヤーに割り当てられたカードの枚数、各レイヤーに割り当てられたカードの組み合わせ等に応じて変更するようにしてもよい。これにより、レイヤー間パラメータ補正手段におけるアイテムパラメータの補正が状況に応じて変更される。
【００５６】
例えば、電子ゲームが進行するにつれて味方カード３０がより強くなるよう又は敵カード３２がより弱くなるようにレイヤー間の補正処理の方法を設定するようにしてもよい。具体例として、下位のレイヤーから上位のレイヤーに承継される味方カード３０のパラメータの割合を電子ゲームの進行と共に大きくしたり、下位のレイヤーから上位のレイヤーに承継される敵カード３２のパラメータの割合を電子ゲームの進行と共に小さくしたりすればよい。通常は電子ゲームの進行と共に敵カード３２のパラメータはより強くなるように設定されるので、それに応じて味方カード３０も強くなるよう又は敵カード３２がより弱くなるようにレイヤー間の補正処理の方法を設定することで、レイヤーへのカードの割り当ての重要度が増し、戦術的な要素が高まるからである。
【００５７】
また、電子ゲームをプレイした時間が長いほど、電子ゲームをプレイした回数が多いほど、電子ゲームをプレイした頻度（単位時間当たりのプレイ時間）が高いほど、味方カード３０がより強くなるように補正されるようにレイヤー間の補正処理の方法を設定するようにしてもよい。具体例として、電子ゲームをプレイした時間が長いほど、又は電子ゲームをプレイした回数が多いほど、又は電子ゲームをプレイした頻度（単位時間当たりのプレイ時間）が高いほど、下位のレイヤーから上位のレイヤーに承継される味方カード３０のパラメータの割合を大きくしたり、下位のレイヤーから上位のレイヤーに承継される敵カード３２のパラメータの割合を小さくしたりすればよい。これにより、ユーザが電子ゲームをプレイしたくなるように動機を与えることができる。
【００５８】
また、レイヤーに割り当てられたカードの枚数の変化に応じて、レイヤー間の補正処理の方法を変更するようにしてもよい。また、カード各レイヤーに割り当てられたカードの組み合わせに応じて、レイヤー間の補正処理の方法を変更するようにしてもよい。これにより、プレイヤが所有するカードの枚数の増減やカードの組み合わせに応じて、カード全体による攻撃力や防御力を調整することができる。
【００５９】
ただし、レイヤー間の補正処理の変更方法は、これらの例に限定されるものではなく、様々な方法を採用することができる。
【００６０】
また、各レイヤーに割り当てられたカードは、レイヤー間において入れ替えることができるようにしてもよい。この処理によって、電子ゲーム装置１００はアイテム入替手段として機能する。例えば、１回の対戦が終了する毎に、上記ステップＳ１０と同様に、各レイヤーにカードを割り当てる処理を行うようにしてもよい。また、プレイヤに新たなカードが与えられた場合、上記ステップＳ１０と同様に、各レイヤーにカードを割り当てる処理を行うようにしてもよい。レイヤー間においてカードの交換ができるようにすることで、電子ゲームの戦略性を高めることができる。
【００６１】
また、レイヤーの総数及びレイヤー間の関係（ツリー構造）は、予め定めておけばよい。また、レイヤーの総数又はレイヤー間の関係（ツリー構造）は、電子ゲームの進行状況、電子ゲームをプレイした時間・回数・頻度等に応じて変更するようにしてもよい。これらの処理によって、電子ゲーム装置１００はレイヤー数変更手段又はレイヤー関係変更手段として機能する。
【００６２】
例えば、電子ゲームが進行するにつれてプレイヤが所有するカードの枚数も多くなるので、レイヤーの総数を増加させるようにしてもよい。また、電子ゲームをプレイした時間が長いほど、電子ゲームをプレイした回数が多いほど、電子ゲームをプレイした頻度（単位時間当たりのプレイ時間）が高いほど、レイヤーの総数を増加させるようにしてもよい。なお、レイヤーの数を増やした場合には、新たに増やしたレイヤーをレイヤーデータベースに登録する。これにより、電子ゲームの進行状況、電子ゲームをプレイした時間・回数・頻度に応じて、プレイヤが選択できる戦術が増え、電子ゲームの戦略性を高めることができる。
【００６３】
また、電子ゲームの進行状況や電子ゲームをプレイした時間・回数・頻度等に応じて、なんらかの条件が成り立った場合にレイヤー間の関係（ツリー構造）をプレイヤが変更できるようにしてもよい。例えば、電子ゲームに設定されたボーナスステージに突入した場合、レイヤー間の関係（ツリー構造）をプレイヤが自由に組み替えることができるようにしてもよい。この場合、図９に示すように、ノードとなるレイヤーを入れ替えたり、レイヤー間を繋ぐ枝を変更したりできるようにすることが好適である。なお、レイヤー間の関係を変更した場合、新たなレイヤー間の関係をレイヤーデータベースに登録する。
【００６４】
また、本実施の形態では、補正されるパラメータを攻撃力及び防御力としたが、これに限定されるものではない。下位レイヤーに割り当てられたカードに特有の特性が与えられている場合、上位レイヤーにその特性が承継されるように処理してもよい。
【００６５】
例えば、図７の例では、レイヤーＹ１に割り当てられているカードＣ７は特殊攻撃Ｍ４が可能であるとされているので、レイヤーＹ１が属するツリー構造の最上位のレイヤーＸ１に割り当てられたカードＣ１においても特殊攻撃Ｍ４を用いることができるようにする。このとき、カードＣ７に与えられた特殊攻撃Ｍ４をカードＣ１にてそのまま使用できるようにしてもよいし、割り当てられたレイヤーや他のレイヤーとの関係に応じて何らかの制限を設けるようにしてもよい。
【００６６】
なお、カードに特有の特性は、特殊な攻撃の特性に限定されるものではなく、電子ゲームにおいて各カードに与えられる特性であればよい。
【００６７】
また、本実施の形態では、カード型対戦ゲームを例に説明したが、本発明はカード以外のアイテムを使用するゲームに適用することもできる。例えば、ロールプレイングゲームにおいて、キャラクタに装備する武器、防具、道具、魔法等をレイヤーに割り当て、レイヤー毎の補正処理やレイヤー間の補正処理を同様に適用してキャラクタに与えられるパラメータを補正してもよい。
【符号の説明】
【００６８】
１０  処理部、１２  記憶部、１４  入力部、１６  出力部、１８  通信部、３０  味方カード、３２  敵カード、１００  電子ゲーム装置、２００  ゲーム画面。
【図１】
2015226750.tif 000003
【図２】
2015226750.tif 000004
【図３】
2015226750.tif 000005
【図４】
2015226750.tif 000006
【図５】
2015226750.tif 000007
【図６】
2015226750.tif 000008
【図７】
2015226750.tif 000009
【図８】
2015226750.tif 000010
【図９】
2015226750.tif 000011